(57)【要約】【課題】複数の利用者毎に所望の情報を簡便に検索できる電子早見本装置を提供する。【解決手段】ログイン認証された複数の利用者のうち電子早見本装置２２の操作主体となる利用者を切り替える利用者切替制御手段１０６と、その利用者切替制御手段１０６により電子早見本装置２２の操作主体が第１の利用者から第２の利用者に切り替えられた場合、その切り替えの時点でその第１の利用者が閲覧していた画面に目印をつける画面目印付手段１０８と、その画面目印付手段１０８により所定の画面に目印が付けられた後、電子早見本装置２２の操作主体が再び第１の利用者に切り替えられた場合、その目印が付けられた画面を表示させる画面表示制御手段１０２とを、備えたものであることから、他の利用者の操作後において再び自分のＩＤに対応して操作を行う際、先の操作において閲覧していた画面から検索を再開することができる。【選択図】図５
2010061048.tif 000002
【特許請求の範囲】
【請求項１】
多数の演奏曲のうちから選択される所定の演奏曲を出力させるカラオケ装置を遠隔操作するために、所定の映像を表示させると共に利用者の接触に応じて前記カラオケ装置への入力を行うタッチパネルディスプレイを備えた電子早見本装置であって、
該タッチパネルディスプレイにより入力される情報に応じて利用者のログイン認証を行うログイン認証制御手段と、
該ログイン認証制御手段により認証された複数の利用者のうち前記電子早見本装置の操作主体となる利用者を切り替える利用者切替制御手段と、
該利用者切替制御手段により前記電子早見本装置の操作主体が第１の利用者から第２の利用者に切り替えられた場合、その切り替えの時点で該第１の利用者が閲覧していた画面に目印をつける画面目印付手段と、
該画面目印付手段により所定の画面に目印が付けられた後、前記利用者切替制御手段により前記電子早見本装置の操作主体が前記第１の利用者に切り替えられた場合、該目印が付けられた画面を表示させる画面表示制御手段と
を、備えたものであることを特徴とする電子早見本装置。
【請求項２】
前記カラオケ装置に複数の電子早見本装置が対応付けられている場合において、前記画面目印付手段により所定の画面に目印が付けられた場合、該目印をそれら複数の電子早見本装置相互間で共有するものである請求項１に記載の電子早見本装置。
【請求項３】
前記画面目印付手段は、前記切り替えの時点で前記第１の利用者が閲覧していた画面にフラグを立てるものである請求項１又は２に記載の電子早見本装置。
【請求項４】
前記画面目印付手段は、前記切り替えの時点で前記第１の利用者が閲覧していた画面の情報を記憶するものである請求項１又は２に記載の電子早見本装置。
【発明の詳細な説明】
【技術分野】
【０００１】
本発明は、多数の演奏曲のうちから選択される所定の演奏曲を出力させるカラオケ装置を遠隔操作するための電子早見本装置に関し、特に、その電子早見本装置による検索操作をより簡便なものとするための改良に関する。
【背景技術】
【０００２】
多数の演奏曲のうちから選択される所定の演奏曲を出力させる音楽再生装置が知られている。例えば、カラオケボックス等で使用されるカラオケ装置がそれである。斯かるカラオケ装置によれば、予め記憶装置に記憶された多数のカラオケ演奏曲から選択された所定のカラオケ演奏曲の音楽情報を出力させると共に、そのカラオケ演奏曲の歌詞情報を含む映像をその出力に同期して画面に表示させることで、所望の歌のカラオケ演奏を楽しむことができる。
【０００３】
斯かるカラオケ装置を遠隔操作するために、所定の映像を表示させると共に利用者の接触に応じてそのカラオケ装置への入力を行うタッチパネルディスプレイを備えた電子早見本装置が知られている。例えば、特許文献１に記載された電子目次本機能付きカラオケリモコン装置がそれである。この技術によれば、上記タッチパネルディスプレイに表示される映像を参照しつつ、利用者の指や備え付けのペン等によりそのタッチパネルディスプレイに接触（タッチ入力）することにより簡便に上記カラオケ装置への入力を行うことができる。
【０００４】
【特許文献１】特開２００３−２０２８７２号公報
【０００５】
ところで、前述したような従来の電子早見本装置を複数の利用者で回して使用する場合、各利用者がそれぞれ固有のＩＤ（識別情報）をもってログインし、個別に選曲等の操作をする態様が考えられる。しかし、そのような態様において、所定の利用者が検索操作をしている間に、自分が選曲した曲の演奏が始まる等して別の人に電子早見本装置を渡してしまうと、その渡された人が別のＩＤに対応して検索を行うことから、再び自分のＩＤに対応して操作を行う際にまた一から検索し直さなければならず煩雑であった。このため、複数の利用者毎に所望の情報を簡便に検索できる電子早見本装置の開発が求められていた。
【発明の開示】
【発明が解決しようとする課題】
【０００６】
本発明は、以上の事情を背景として為されたものであり、その目的とするところは、複数の利用者毎に所望の情報を簡便に検索できる電子早見本装置を提供することにある。
【課題を解決するための手段】
【０００７】
斯かる目的を達成するために、本発明の要旨とするところは、多数の演奏曲のうちから選択される所定の演奏曲を出力させるカラオケ装置を遠隔操作するために、所定の映像を表示させると共に利用者の接触に応じて前記カラオケ装置への入力を行うタッチパネルディスプレイを備えた電子早見本装置であって、そのタッチパネルディスプレイにより入力される情報に応じて利用者のログイン認証を行うログイン認証制御手段と、そのログイン認証制御手段により認証された複数の利用者のうち前記電子早見本装置の操作主体となる利用者を切り替える利用者切替制御手段と、その利用者切替制御手段により前記電子早見本装置の操作主体が第１の利用者から第２の利用者に切り替えられた場合、その切り替えの時点でその第１の利用者が閲覧していた画面に目印をつける画面目印付手段と、その画面目印付手段により所定の画面に目印が付けられた後、前記利用者切替制御手段により前記電子早見本装置の操作主体が前記第１の利用者に切り替えられた場合、その目印が付けられた画面を表示させる画面表示制御手段とを、備えたことを特徴とするものである。
【発明の効果】
【０００８】
このようにすれば、前記タッチパネルディスプレイにより入力される情報に応じて利用者のログイン認証を行うログイン認証制御手段と、そのログイン認証制御手段により認証された複数の利用者のうち前記電子早見本装置の操作主体となる利用者を切り替える利用者切替制御手段と、その利用者切替制御手段により前記電子早見本装置の操作主体が第１の利用者から第２の利用者に切り替えられた場合、その切り替えの時点でその第１の利用者が閲覧していた画面に目印をつける画面目印付手段と、その画面目印付手段により所定の画面に目印が付けられた後、前記利用者切替制御手段により前記電子早見本装置の操作主体が前記第１の利用者に切り替えられた場合、その目印が付けられた画面を表示させる画面表示制御手段とを、備えたものであることから、他の利用者の操作後において再び自分のＩＤに対応して操作を行う際、先の操作において閲覧していた画面から検索を再開することができる。すなわち、複数の利用者毎に所望の情報を簡便に検索できる電子早見本装置を提供することができる。
【０００９】
ここで、好適には、前記カラオケ装置に複数の電子早見本装置が対応付けられている場合において、前記画面目印付手段により所定の画面に目印が付けられた場合、その目印をそれら複数の電子早見本装置相互間で共有するものである。このようにすれば、複数の電子早見本装置で選曲等の操作を行っている場合にどの電子早見本装置を使用しても先の操作において閲覧していた画面から検索を再開することができる。
【００１０】
また、好適には、前記画面目印付手段は、前記切り替えの時点で前記第１の利用者が閲覧していた画面にフラグを立てるものである。このようにすれば、実用的な態様で先の操作において閲覧していた画面から検索を再開することができる。
【００１１】
また、好適には、前記画面目印付手段は、前記切り替えの時点で前記第１の利用者が閲覧していた画面の情報を記憶するものである。このようにすれば、実用的な態様で先の操作において閲覧していた画面から検索を再開することができる。
【発明を実施するための最良の形態】
【００１２】
以下、本発明の好適な実施例を図面に基づいて詳細に説明する。
【実施例】
【００１３】
図１は、本発明が好適に適用されるカラオケシステム１０を説明する概略図である。この図１に示すように、上記カラオケシステム１０では、カラオケボックス、スナック、旅館等の店舗１２における複数の個室１４ａ、１４ｂ、１４ｃ、・・・（以下、特に区別しない場合には単に個室１４と称する）にそれぞれ１台乃至は複数台ずつ（図１では１台ずつ）のカラオケ装置１６ａ、１６ｂ、１６ｃ、・・・（以下、特に区別しない場合には単にカラオケ装置１６と称する）が設置されている。これら複数のカラオケ装置１６は、ルータ２８を介して公衆電話回線等による通信回線１８に接続されており、同じくその通信回線１８に接続されたカラオケサービス提供会社のサーバ装置（センタ装置）２０との相互間でその通信回線１８を介して情報の通信が可能とされている。このサーバ装置２０は、カラオケ情報（楽曲データ）、背景映像情報、曲間情報等のデジタルコンテンツ（Digital Contents）の保管や入出力管理の基本的な制御を行うサーバであり、上記通信回線１８を介して上記カラオケ装置１６に定期的にコンテンツの配信を行うと共に、そのカラオケ装置１６からの要求に応じて所定の機能制御プログラムを送信するものである。また、上記カラオケシステム１０は、本発明の一実施例である複数の電子早見本装置２２ａ、２２ｂ、２２ｃ、・・・（以下、特に区別しない場合には単に電子早見本装置２２と称する）を備えており、上記カラオケ装置１６の利用に際して、各利用者（グループ）毎に１台乃至数台ずつの電子早見本装置２２が貸与され、各個室１４において後述するように上記カラオケ装置１６の遠隔操作装置として用いられるようになっている。上記店舗１２内には上記複数のカラオケ装置１６を相互に接続するＬＡＮ２４が敷設されており、上記電子早見本装置２２からのカラオケ装置１６への入力は、所定のアクセスポイント２６及びＬＡＮ２４を介したＬＡＮ通信等により行われる。
【００１４】
図２は、上記カラオケ装置１６の構成を例示するブロック線図である。この図２に示すように、上記カラオケ装置１６は、ＣＲＴ（Cathode-ray Tube）やＴＦＴ（Thin Film Transistor Liquid Crystal）等の映像表示装置３０と、ＣＲＴコントローラ等の映像出力制御部３２と、映像情報デコーダ３４と、ビデオミキサ３６と、音源であるシンセサイザ３８と、音声入力装置であるマイクロフォン４０と、アンプミキサ４２と、スピーカ４４と、操作パネル４６と、その操作パネル４６等からの入力信号を処理する入出力インターフェイス４８と、中央演算処理装置であるＣＰＵ５０と、読出専用メモリであるＲＯＭ５２と、随時書込読出メモリであるＲＡＭ５４と、記憶装置であるハードディスク５６と、モデム５８と、ＬＡＮポート６０と、上記電子早見本装置２２やリモコン装置６４等の入力装置からのリモコン信号を受信するためのリモコン受信部６２とを、備えて構成されている。
【００１５】
前記映像出力制御部３２は、前記ＣＰＵ５０において生成された歌詞文字映像等の文字映像（テロップ）を出力する文字映像出力装置として機能する他、前記映像表示装置３０による種々の映像表示を制御する表示制御装置である。また、前記映像情報デコーダ３４は、利用者が歌詞を参照しながら歌を歌う際に前記ハードディスク５６に記憶された背景映像情報に基づいて所定の背景映像を再生（デコード）する背景映像再生装置である。この背景映像情報は、例えば、ＭＰＥＧ（Moving Picture Experts Group）形式のデータであり、そのＭＰＥＧデータに基づいて前記映像情報デコーダ３４により再生された背景映像は、前記ビデオミキサへ送られる。また、前記ビデオミキサ３６は、前記ＣＰＵ５０において生成され且つ前記映像出力制御部３２から出力される文字映像と、前記映像情報デコーダ３４により再生される背景映像とを合成して前記映像表示装置３０に表示させる映像合成装置である。
【００１６】
前記シンセサイザ３８は、前記ハードディスク５６から読み出されて送られて来るカラオケ演奏曲の演奏情報に基づいて楽器の演奏信号等の音楽信号を生成する音源である。この演奏情報は、例えば、ＭＩＤＩ（Musical Instrument Digital Interface）形式のデータであり、そのＭＩＤＩデータに基づいて前記シンセサイザ３８により生成された音楽信号は、アナログ信号に変換されて前記アンプミキサ４２へ送られる。そのアンプミキサ４２では、送られてきた音楽信号と前記マイクロフォン４０を介して入力される利用者の歌声とがミキシングされ、それらの信号が電気的に増幅されて前記スピーカ４４から出力される。
【００１７】
前記操作パネル４６は、前記カラオケ装置１６の利用者が歌いたいカラオケ演奏曲を選択したり、演奏曲の音程を調整したり、演奏と歌との音量バランスを調整したり、その他、エコー、音量、トーン等の各種調整を行うための操作ボタン（スイッチ）或いはつまみを備えた入力装置である。また、前記カラオケ装置１６には、前記操作パネル４６の一部機能を遠隔で実行するための入力装置として機能するリモコン装置６４が備えられており、前記リモコン受信部６２は、そのリモコン装置６４から送信されるリモコン信号を受信して前記ＣＰＵ５０へ供給する。また、前記カラオケ装置１６と電子早見本装置２２との対応付け（くくりつけ）処理も前記リモコン受信部６２を介して行われ、そのようにして前記カラオケ装置１６に対応付けられた電子早見本装置２２も同様に入力装置として機能する。
【００１８】
前記ＣＰＵ５０は、前記ＲＡＭ５４の一時記憶機能を利用しつつ前記ＲＯＭ５２に予め記憶された所定のプログラムに基づいて電子情報を処理・制御する所謂マイクロコンピュータであり、前記電子早見本装置２２やリモコン装置６４等により所定のカラオケ演奏曲が選曲された場合、その選曲されたカラオケ演奏曲を前記ＲＡＭ５４に設けられた予約曲テーブルに登録したり、その予約曲テーブルの演奏順に従って前記ハードディスク５６から前記ＲＡＭ５４に選曲されたカラオケ演奏曲の演奏情報及び歌詞情報等を読み出したり、カラオケ演奏曲の演奏が進行するのに応じてそのＲＡＭ５４から前記シンセサイザ３８へ演奏情報を送信したり、歌詞情報に基づいて歌詞文字映像を生成して前記映像出力制御部３２へ送ったり、選曲時には曲名文字映像を生成して前記映像出力制御部３２へ送ったり、前記映像情報デコーダ３４を制御して所定の背景映像を再生させたり、カラオケ演奏が行われていない間すなわち曲間において、新譜情報、選曲ランキング、店舗広告等の曲間情報を出力させたり、前記通信回線１８を介した前記サーバ装置２０との間の情報通信制御等の基本的な制御を実行する。
【００１９】
前記モデム５８は、前記カラオケ装置１６を公衆電話回線等による通信回線１８に接続するための装置であり、前記ＣＰＵ５０から出力されるディジタル信号をアナログ信号に変換して前記通信回線１８に送り出すと共に、その通信回線１８を介して伝送されるアナログ信号をディジタル信号に変換して前記ＣＰＵ５０に供給する処理を行う。なお、前記店舗１２に備えられた複数のカラオケ装置１６のうち何れかのカラオケ装置１６が前記ルータ２８の機能を備えてマスターコマンダとして前記通信回線１８に接続される態様も考えられ、その場合、前記モデム５８はそのマスターコマンダとして機能するカラオケ装置１６には必要とされるが、そのマスターコマンダを介して前記サーバ装置２０との間で情報の通信を行う他のカラオケ装置１６には必ずしも設けられなくともよい。
【００２０】
前記ＬＡＮポート６０は、前記カラオケ装置１６をＬＡＮ２４を介して他のカラオケ装置１６や電子早見本装置２２等の他の機器に接続するための接続器であり、前記カラオケ装置１６は、そのようにＬＡＮ２４を介して接続されることで、他のカラオケ装置１６や電子早見本装置２２等の他の機器との間で情報の送受信が可能とされる。例えば、前記アクセスポイント２６を介して受信される前記電子早見本装置２２からの選曲入力を受け付けて前記ＲＡＭ５４に設けられた予約曲テーブルに記憶したり、そのアクセスポイント２６を介して前記カラオケ装置１６から電子早見本装置２２へ所定の情報を送信したりというように、電波を介して前記カラオケ装置１６と電子早見本装置２２との間における相互の情報のやりとりが実行される。また、斯かるＬＡＮ２４及びアクセスポイント２６を介して、前記複数の電子早見本装置２２相互間でも情報の通信が行われる。
【００２１】
前記ハードディスク５６には、カラオケ演奏曲を出力させるための多数のカラオケデータ（楽曲データ）を記憶するカラオケデータベースをはじめとする各種データベースが設けられている。カラオケボックス等の店舗にそれぞれ備えられた複数のカラオケ装置１６のうち所定のカラオケ装置１６例えば前記カラオケ装置１６ａは、前記モデム５８を介して前記通信回線１８に接続されており、前記複数のカラオケ装置１６によって常に新しい曲が演奏可能とされるように、随時新たな楽曲データ等が前記サーバ装置２０から前記通信回線１８を介して配信され、前記ハードディスク５６のカラオケデータベース等に記憶される。また、そのようにして前記サーバ装置２０から情報を取得したカラオケ装置１６ａとその他のカラオケ装置１６との間で前記ＬＡＮ２４を介した通信が行われることにより、各カラオケ装置１６のハードディスク５６に記憶される情報が共有され、上記カラオケデータベース等の内容が等価なものとされる。
【００２２】
図３は、前記電子早見本装置２２の外観を大まかに示す斜視図である。この図３に示すように、前記電子早見本装置２２は、所定の画像（映像）を表示させると共に、利用者の接触に応じて入力を行うためのタッチパネルディスプレイ６８を備えている。また、前記カラオケ装置１６や他の電子早見本装置２２との間でデータの送受信や同期を実行したり、前記電子早見本装置２２に内蔵されたバッテリを充電する等の動作を行うスタンド型の接続架台（ドッキングテーブル）であるクレイドル６６を備えている。前記電子早見本装置２２は、そのクレイドル６６に取り付けられた状態又はそのクレイドル６６から取り外された状態で用いられ、取り付けられた状態においては、そのクレイドル６６及びＬＡＮ２４を介して前記カラオケ装置１６や他の電子早見本装置２２に有線接続されるようになっている。また、上記クレイドル６６から取り外された状態においては、上記アクセスポイント２６及びＬＡＮ２４を介して前記カラオケ装置１６他の電子早見本装置２２に無線接続されるようになっている。
【００２３】
図４は、前記電子早見本装置２２の構成を説明するブロック線図である。この図４に示すように、前記電子早見本装置２２は、上記タッチパネルディスプレイ６８に所定の映像を表示させる表示装置７２と、その表示装置７２による表示を制御する表示制御部７４と、利用者の指や図示しない備え付けのペン等によるタッチパネルディスプレイ６８への接触により入力を行うタッチパネル７６と、そのタッチパネル７６による入力を制御する入力制御部７８と、中央演算処理装置であるＣＰＵ８０と、読出専用メモリであるＲＯＭ８２と、随時書込読出メモリであるＲＡＭ８４と、フラッシュＲＯＭ等の記憶部８６と、インターフェイス８８と、リモコン送信部９０と、無線ＬＡＮ通信部９２と、上記クレイドル６６と電気的な接続を可能とするためのコネクタ９４ａとを、備えて構成されている。上記クレイドル６６には、斯かる電子早見本装置２２と電気的な接続を可能とするためのコネクタ９４ｂが設けられており、前記電子早見本装置２２は、前記クレイドル６６に載置されて上記コネクタ９４ａ及び９４ｂが相互に接触させられることで、上記インターフェイス８８を介して前記クレイドル６６乃至はＬＡＮ２４に接続されるようになっている。
【００２４】
上記ＣＰＵ８０は、上記ＲＡＭ８４の一時記憶機能を利用しつつ上記ＲＯＭ８２に記憶された情報に基づいて情報処理を実行する所謂マイクロコンピュータであり、上記表示制御部７４を介して前記タッチパネルディスプレイ６８（表示装置７２）に所定の映像を表示させたり、その映像に基づく前記タッチパネルディスプレイ６８（タッチパネル７６）への接触により上記入力制御部７８を介して入力される入力信号を処理したり、その入力信号に基づき前記無線ＬＡＮ通信部９２等を介して前記カラオケ装置１６へ選曲入力をはじめとする入力送信を行ったり、その無線ＬＡＮ通信部９２等を介して他の電子早見本装置２２との間で情報の通信や同期を行ったり、マスターコマンダである前記カラオケ装置１６ａを介して前記センタ装置２０との間で情報の通信を行う等といった基本的な制御に加えて、後述する利用者切替時の画面表示制御等を実行する。
【００２５】
上記記憶部８６には、前記カラオケ装置１６のカラオケデータベースに記憶された多数のカラオケ情報それぞれに対応して曲名、アーティスト名、属性情報、歌詞の歌い出し部分等の選曲案内情報、及び備考等を選曲番号毎に記憶する演奏曲データベース９６が設けられている。また、前記タッチパネルディスプレイ６８を介しての入力操作によりログインした利用者毎に各種情報を記憶する利用者別テーブル９８が設けられ、前記電子早見本装置２２による操作が行われる毎にその内容が更新されるように構成されている。また、好適には、所定のカラオケ装置１６（１台のカラオケ装置１６）に複数の電子早見本装置２２がくくりつけられている（対応付けられている）場合には、後述する利用者別情報交信手段１１０によりそれら複数の電子早見本装置２２相互間でその利用者別テーブル９８の記憶内容が共有（共通化）されるように構成されている。
【００２６】
図５は、前記電子早見本装置２２のＣＰＵ８０に備えられた制御機能の要部を説明する機能ブロック線図である。この図５に示すログイン認証制御手段１００は、前記タッチパネルディスプレイ６８により入力される識別情報（ＩＤ）及びパスワード等の情報に応じて利用者のログイン認証を行い、その認証が正常に行われた場合にはその識別情報をもってその利用者の前記電子早見本装置２２（カラオケ装置１６）へのログインを許可する。例えば、そのタッチパネルディスプレイ６８により入力された情報に基づき前記サーバ装置２０に照会を行うことにより斯かるログイン認証を行う。すなわち、前記タッチパネルディスプレイ６８により入力された識別情報及びログインパスワードに関して、その識別情報に関連付けられて前記サーバ装置２０の顧客別データベースに記憶されたパスワードが入力されたものと一致するか否かを判定し、一致する場合には正常な認証を行う一方、一致しない場合にはエラーとする。なお、このログイン認証に関して、実質的な制御（判定）は前記サーバ装置２０の側で行うものであってもよい。そして、このログイン認証制御手段１００により正常にログイン認証が行われた利用者に関しては、前記記憶部８６における利用者別テーブル９８にその利用者の識別情報（ＩＤ）等が登録され、以降の前記電子早見本装置２２による操作はその正常にログイン認証された利用者を単位として行われる。また、前記タッチパネルディスプレイ６８を介して所定のログアウト操作が行われた場合、対象となる利用者はログアウトさせられ、前記利用者別テーブル９８におけるその利用者の登録は解除（削除）される。
【００２７】
画面表示制御手段１０２は、前記タッチパネルディスプレイ６８（タッチパネル７６）を介して入力される情報に応じて前記表示装置７２に表示される画面（映像）を制御する。例えば、前記タッチパネルディスプレイ６８により入力される条件に応じて前記演奏曲データベース９６に記憶された多数の演奏曲のうちから単数乃至は複数の演奏曲を検索するために前記表示装置７２に表示される画面を制御する。図６は、演奏曲検索制御における文字入力画面１１２を例示する図である。この図６に示すように、上記画面表示制御手段１０２は、前記タッチパネル７６を介して所定の操作が行われた場合、少なくとも五十音の文字を示す複数の文字ボタン映像１１４を前記タッチパネルディスプレイ６８に表示させる。このタッチパネルディスプレイ６８に表示された文字ボタン映像１１４に対応する部分への利用者の接触に応じて、前記タッチパネル７６及び入力制御部７８を介してそれら文字ボタン映像１１４によって示される文字乃至は文字列が入力される。また、そのようにして入力された文字乃至は文字列が図６に示すように文字表示欄１１６に表示される。更に、例えば歌手名検索モードにおいては、この文字表示欄１１６に文字乃至は文字列が表示されている状態で検索ボタン映像１１８に対応する部分が利用者の指等による接触にて押されることにより、斯かる文字乃至は文字列と前方一致又は完全一致する単数乃至は複数の歌手名が前記演奏曲データベース９６に記憶された歌手名から検索される。例えば、図６に示すように上記文字表示欄１１６に「はまおか」の文字が表示されている状態で検索ボタン映像１１８に対応する部分が利用者の指等による接触にて押されることにより、前記演奏曲データベース９６に記憶された情報に基づいてその「はまおか」の文字を先頭とする複数の歌手名が検索される。
【００２８】
図７は、演奏曲検索制御における選曲入力画面１２０を例示する図である。この図７に示すように、前記画面表示制御手段１０２は、上述のようにして歌手名が検索された場合、その歌手名に対応する単数乃至は複数の演奏曲を前記演奏曲データベース９６に記憶された多数の演奏曲から検索し、検索された演奏曲を示す演奏曲ボタン映像１２２を前記タッチパネルディスプレイ６８に表示させる。例えば、図７の選曲入力画面においては、「はまおか」の文字列と前方一致する「浜岡ゆいな」を歌手名とする複数の演奏曲を示す演奏曲ボタン映像１２２が前記タッチパネルディスプレイ６８に表示されている。
【００２９】
前記画面表示制御手段１０２は、また好適には、曲名検索モードにおいては、前記タッチパネルディスプレイ６８に表示された文字ボタン映像１１４への利用者の接触に応じて入力される文字乃至は文字列によって示される条件に基づいて単数乃至は複数の演奏曲を検索（曲名検索）し、検索された演奏曲を選曲可能とするための画面を前記表示装置７２に表示させる。具体的には、図６に示すような文字入力画面１１２において前記文字表示欄１１６に文字乃至は文字列が表示されている状態で検索ボタン映像１１８に対応する部分が利用者の指等による接触にて押されることにより、曲名が斯かる文字乃至は文字列と前方一致又は完全一致する単数乃至は複数の演奏曲を前記演奏曲データベース９６に記憶された多数の演奏曲から検索し、そのようにして演奏曲が検索された後、上述した図７に示すように、検索された演奏曲を示す演奏曲ボタン映像１２２を前記タッチパネルディスプレイ６８に表示させる。
【００３０】
選曲送信制御手段１０４は、前記画面表示制御手段１０２により前記タッチパネルディスプレイ６８に表示された演奏曲ボタン映像１２２に対応する部分への利用者の接触（タッチ入力）に応じて、その演奏曲ボタン映像１２２により示される演奏曲を選曲するための信号（選曲情報）を前記無線ＬＡＮ通信部９２やＬＡＮインターフェイス８８等を介して前記カラオケ装置１６に送信する。すなわち、利用者が所望する演奏曲を前記カラオケ装置１６のＲＡＭ５４等に形成された予約曲テーブルに登録するための選曲予約処理を行う。また、そのようにして選曲送信された演奏曲の選曲番号及び選曲時間（少なくとも日時分、好適には秒まで）等の情報を選曲履歴として前記利用者別テーブル９８に記憶する。また、好適には、前記電子早見本装置２２においてログインを行った利用者毎の選曲履歴を前記利用者別テーブル９８に記憶する。
【００３１】
図５に戻って、利用者切替制御手段１０６は、前記タッチパネルディスプレイ６８（タッチパネル７６）を介して入力される情報に応じて、前記ログイン認証制御手段１００により認証された複数の利用者のうち前記電子早見本装置２２の操作主体となる利用者を切り替える。前記画面表示制御手段１０２は、前記タッチパネル７６を介して所定の操作例えば図６乃至図７に示すような画面において利用者切替ボタン映像１２４に対応する部分への利用者の接触が行われた場合、図８に示すような利用者切替画面１２６を前記表示装置７２に表示させる。この利用者切替画面１２６には、前記利用者別テーブル９８に登録された利用者すなわち前記ログイン認証制御手段１００により正常にログイン認証された利用者それぞれを示す利用者選択ボタン映像１２８が表示され、所定の利用者に相当する利用者選択ボタン映像１２８に対応する部分が利用者の指等による接触にて押されることにより、前記電子早見本装置２２の操作主体がその選択された利用者に切り替えられる。このようにして、上記利用者切替制御手段１０６により前記電子早見本装置２２の操作主体となる利用者が切り替えられた場合、以降のその電子早見本装置２２を用いた操作（選曲入力等）の情報は、その利用者に対応する情報として前記利用者別テーブル９８に記憶（蓄積）される。
【００３２】
画面目印付手段１０８は、上記利用者切替制御手段１０６により前記電子早見本装置２２の操作主体が第１の利用者から第２の利用者に切り替えられた場合、その切り替えの時点でその第１の利用者が閲覧していた画面に目印をつける。好適には、その切り替えの時点で第１の利用者が閲覧していた画面にフラグ（flag）を立てる。換言すれば、前記電子早見本装置２２による演奏曲検索プログラムにおいてその画面を表示させるフラグをオンとする。また、好適には、上記切り替えの時点で上記第１の利用者が閲覧していた画面の情報例えばその画面を表示させるための情報等を記憶する。このようにして付けられた目印に係る情報は、例えば、前記利用者別テーブル９８にその利用者に対応する情報として記憶される。
【００３３】
前記画面表示制御手段１０２は、上記画面目印付手段１０８により所定の画面に目印が付けられた後、前記利用者切替制御手段１０６により前記電子早見本装置２２の操作主体が前記第１の利用者に切り替えられた場合、その目印が付けられた画面を表示させる。例えば、先の操作において前記利用者切替制御手段１０６により前記電子早見本装置２２の操作主体が前記第１の利用者から他の利用者に切り替えられた際、前記タッチパネルディスプレイ６８に図７に示す選曲入力画面１２０が表示されており、その選曲入力画面１２０に目印が付けられてその情報が前記利用者別テーブル９８に記憶されていた場合、前記利用者切替制御手段１０６により前記電子早見本装置２２の操作主体が再びその第１の利用者に切り替えられた際にはその切替の直後（例えば、図８に示す利用者切替画面１２６において利用者選択ボタン映像１２８が押された直後）にその目印が付けられた選曲入力画面１２０を前記タッチパネルディスプレイ６８に表示させる。一方、対象となる利用者に対応していかなる画面にも目印が付いていない場合（利用者別テーブル９８に目印に関する情報が記憶されていない場合）において、前記利用者切替制御手段１０６により前記電子早見本装置２２の操作主体が所定の利用者に切り替えられた場合には、前記画面表示制御手段１０２は、図９に示すような予め定められた初期画面１３０を前記タッチパネルディスプレイ６８に表示させる。
【００３４】
図５に戻って、利用者別情報交信手段１１０は、同一のカラオケ装置１６とくくりつけられている（対応付けられている）他の電子早見本装置２２との間で前記利用者別テーブル９８に記憶された情報を共有化するために通信を行う。具体的には、前記利用者別テーブル９８に記憶された内容が更新された場合に、同一のカラオケ装置１６とくくりつけられた他の電子早見本装置２２との間で前記ＬＡＮ２４等を介して通信を行うことで、各電子早見本装置２２の利用者別テーブル９８の内容を等価なものとする。また、斯かる制御を行うことで、前記カラオケ装置１６に複数の電子早見本装置２２が対応付けられている場合において、所定の利用者に対応して前記画面目印付手段１０８により所定の画面に目印が付けられた場合、その目印をそれら複数の電子早見本装置２２相互間で共有することができる。
【００３５】
図１０は、前記電子早見本装置２２のＣＰＵ８０によるログイン／ログアウト制御の要部を説明するフローチャートであり、所定の周期で繰り返し実行されるものである。
【００３６】
先ず、ステップ（以下、ステップを省略する）ＳＡ１において、前記タッチパネルディスプレイ６８（タッチパネル７６）を介してログイン情報すなわち識別情報及びログインパスワードの入力があったか否かが判断される。このＳＡ１の判断が否定される場合には、ＳＡ６以下の処理が実行されるが、ＳＡ１の判断が肯定される場合には、ＳＡ２において、ＳＡ１にて入力された識別情報及びログインパスワードが前記サーバ装置２０へ送信される。次に、ＳＡ３において、前記サーバ装置２０から正常にログインされたとの応答が返信されたか否かが判断される。このＳＡ３の判断が肯定される場合には、ＳＡ４において、正常にログイン処理が行われた後、ＳＡ６以下の処理が実行されるが、ＳＡ３の判断が否定される場合には、ＳＡ５において、エラーである旨が前記タッチパネルディスプレイ６８（表示装置７２）に表示された後、ＳＡ６において、前記タッチパネルディスプレイ６８を介して所定の利用者のログアウト処理を行うための入力があったか否かが判断される。このＳＡ６の判断が否定される場合には、それをもって本ルーチンが終了させられるが、ＳＡ６の判断が肯定される場合には、対象となる利用者のログアウト処理が行われた後、本ルーチンが終了させられる。以上の制御において、ＳＡ１乃至ＳＡ５が前記ログイン認証制御手段１００の動作に対応する。
【００３７】
図１１は、前記電子早見本装置２２のＣＰＵ８０によるユーザ切替／画面表示制御の要部を説明するフローチャートであり、所定の周期で繰り返し実行されるものである。
【００３８】
先ず、前記利用者切替制御手段１０６の動作に対応するＳＢ１において、前記タッチパネルディスプレイ６８（タッチパネル７６）を介して所定の利用者切替操作が行われたか否かが判断される。このＳＢ１の判断が否定される場合には、それをもって本ルーチンが終了させられるが、ＳＢ１の判断が肯定される場合には、前記電子早見本装置２２の操作主体がＳＢ１の操作に対応する利用者に切り替えられると共に、前記画面目印付手段１０８の動作に対応するＳＢ２において、その切り替えの時点で先の利用者が閲覧していた画面にフラグが立てられ、その情報が前記利用者別テーブル９８に記憶される。次に、ＳＢ３において、新たに切り替えられた利用者に対応して前記利用者別テーブル９８に所定の画面を示す目印に関する情報（フラグ）が記憶されているか否かが判断される。このＳＢ３の判断が肯定される場合には、ＳＢ４において、その新たに切り替えられた利用者に対応してフラグの立てられた画面が前記タッチパネルディスプレイ６８（表示装置７２）に表示された後、本ルーチンが終了させられるが、ＳＢ３の判断が否定される場合には、ＳＢ５において、予め定められた初期画面が前記タッチパネルディスプレイ６８（表示装置７２）に表示された後、本ルーチンが終了させられる。以上の制御において、ＳＢ４及びＳＢ５が前記画面表示制御手段１０２の動作に対応する。
【００３９】
図１２は、前記電子早見本装置２２のＣＰＵ８０による利用者別情報共有制御の要部を説明するフローチャートであり、所定の周期で繰り返し実行されるものである。
【００４０】
先ず、ＳＣ１において、前記利用者別テーブル９８の記憶内容が更新されたか否かが判断される。このＳＣ１の判断が否定される場合には、それをもって本ルーチンが終了させられるが、ＳＣ１の判断が肯定される場合には、ＳＣ２において、同一のカラオケ装置１６とくくりつけられた他の電子早見本装置２２に前記ＬＡＮ２４等を介して前記利用者別テーブル９８の記憶内容（更新内容）が送信され、複数の電子早見本装置２２相互間でその利用者別テーブル９８の記憶内容が等価なものとされた後、本ルーチンが終了させられる。以上の制御において、ＳＣ１及びＳＣ２が前記利用者別情報交信手段１１０の動作に対応する。
【００４１】
このように、本実施例によれば、前記タッチパネルディスプレイ６８により入力される情報に応じて利用者のログイン認証を行うログイン認証制御手段１００（ＳＡ１乃至ＳＡ５）と、そのログイン認証制御手段１００により認証された複数の利用者のうち前記電子早見本装置２２の操作主体となる利用者を切り替える利用者切替制御手段１０６（ＳＢ１）と、その利用者切替制御手段１０６により前記電子早見本装置２２の操作主体が第１の利用者から第２の利用者に切り替えられた場合、その切り替えの時点でその第１の利用者が閲覧していた画面に目印をつける画面目印付手段１０８（ＳＢ２）と、その画面目印付手段１０８により所定の画面に目印が付けられた後、前記利用者切替制御手段１０６により前記電子早見本装置２２の操作主体が前記第１の利用者に切り替えられた場合、その目印が付けられた画面を表示させる画面表示制御手段１０２（ＳＢ４及びＳＢ５）とを、備えたものであることから、他の利用者の操作後において再び自分のＩＤに対応して操作を行う際、先の操作において閲覧していた画面から検索を再開することができる。すなわち、複数の利用者毎に所望の情報を簡便に検索できる電子早見本装置２２を提供することができる。
【００４２】
また、前記カラオケ装置１６に複数の電子早見本装置２２が対応付けられている場合において、前記画面目印付手段１０８により所定の画面に目印が付けられた場合、その目印をそれら複数の電子早見本装置２２相互間で共有するものであるため、複数の電子早見本装置２２で選曲等の操作を行っている場合にどの電子早見本装置２２を使用しても先の操作において閲覧していた画面から検索を再開することができる。
【００４３】
また、前記画面目印付手段１０８は、前記切り替えの時点で前記第１の利用者が閲覧していた画面にフラグを立てるものであるため、実用的な態様で先の操作において閲覧していた画面から検索を再開することができる。
【００４４】
また、前記画面目印付手段１０８は、前記切り替えの時点で前記第１の利用者が閲覧していた画面の情報を記憶するものであるため、実用的な態様で先の操作において閲覧していた画面から検索を再開することができる。
【００４５】
以上、本発明の好適な実施例を図面に基づいて詳細に説明したが、本発明はこれに限定されるものではなく、更に別の態様においても実施される。
【００４６】
例えば、前述の実施例では、前記記憶部８６に利用者別テーブル９８が設けられ、前記画面目印付手段１０８により付けられた目印に関する情報はその利用者別テーブル９８に利用者毎の情報として記憶されるものであったが、本発明はこれに限定されるものでなく、あくまで制御の一例を示すものに過ぎない。すなわち、前記利用者切替制御手段１０６により前記電子早見本装置２２の操作主体となる利用者が切り替えられた時点で第１の利用者が閲覧していた画面を、その第１の利用者が再びその電子早見本装置２２の操作主体となった時点で表示させるために必要な情報を記憶できるのであれば斯かる利用者別テーブル９８は必ずしも設けられなくともよく、前記ＲＡＭ８４に必要最小限の情報を記憶するものであっても構わない。
【００４７】
また、前述の実施例では、前記電子早見本装置２２を用いた選曲操作において前記電子早見本装置２２の操作主体となる利用者が切り替えられた際の画面表示制御について説明したが、その電子早見本装置２２を用いたドリンク等の注文操作、プロモーションビデオの閲覧操作等、種々の操作に係る画面表示制御に本発明は適用されるものである。
【００４８】
また、前述の実施例では、前記カラオケ装置１６に複数の電子早見本装置２２が対応付けられている場合において、前記画面目印付手段１０８により所定の画面に目印が付けられた場合、その目印をそれら複数の電子早見本装置２２相互間で共有する態様について説明したが、更にその目印に関する情報を前記サーバ装置２０に設けられた顧客別データベースに蓄積する等の制御を行うものであってもよい。
【００４９】
その他、一々例示はしないが、本発明はその趣旨を逸脱しない範囲内において種々の変更が加えられて実施されるものである。
【図面の簡単な説明】
【００５０】
【図１】本発明が好適に適用されるカラオケシステムを説明する概略図である。
【図２】図１のカラオケシステムに備えられたカラオケ装置の構成を例示するブロック線図である。
【図３】本発明の一実施例である電子早見本装置の外観を大まかに示す斜視図である。
【図４】図３の電子早見本装置の構成を例示するブロック線図である。
【図５】図４の電子早見本装置のＣＰＵに備えられた制御機能の要部を説明する機能ブロック線図である。
【図６】図４の電子早見本装置による演奏曲検索制御においてタッチパネルディスプレイに表示される文字入力画面を例示する図である。
【図７】図４の電子早見本装置による演奏曲検索制御においてタッチパネルディスプレイに表示される選曲入力画面を例示する図である。
【図８】図４の電子早見本装置による演奏曲検索制御においてタッチパネルディスプレイに表示される利用者切替画面を例示する図である。
【図９】図４の電子早見本装置による演奏曲検索制御においてタッチパネルディスプレイに表示される初期画面を例示する図である。
【図１０】図４の電子早見本装置のＣＰＵによるログイン／ログアウト制御の要部を説明するフローチャートである。
【図１１】図４の電子早見本装置のＣＰＵによるユーザ切替／画面表示制御の要部を説明するフローチャートである。
【図１２】図４の電子早見本装置のＣＰＵによる利用者別情報共有制御の要部を説明するフローチャートである。
【符号の説明】
【００５１】
１６：カラオケ装置
２２：電子早見本装置
６８：タッチパネルディスプレイ
１００：ログイン認証制御手段
１０２：画面表示制御手段
１０６：利用者切替制御手段
１０８：画面目印付手段
【図１】
2010061048.tif 000003
【図２】
2010061048.tif 000004
【図３】
2010061048.tif 000005
【図４】
2010061048.tif 000006
【図５】
2010061048.tif 000007
【図６】
2010061048.tif 000008
【図７】
2010061048.tif 000009
【図８】
2010061048.tif 000010
【図９】
2010061048.tif 000011
【図１０】
2010061048.tif 000012
【図１１】
2010061048.tif 000013
【図１２】
2010061048.tif 000014